(57)【特許請求の範囲】
【請求項１】
制御対象となる負荷の状態を変化させるための外部システムからの接点信号に応じて、信号線に多重伝送方式で伝送される伝送信号により、制御対象負荷を制御するための制御指令を出力する接点入力端末器において、
前記外部システムからの接点信号として、接点変化と連動する連続信号が接続される接続部と、
前記接続部に入力される接点信号を監視し、接点信号の立ち上がりまたは接点信号の立ち下がりを検出する検出部と、
前記検出部における検出結果に基づいて、前記制御指令を出力する制御部とを有し、
前記制御部は、前記接続部のアドレス情報が単一の負荷または同一グループ内の複数の負荷を制御対象としてオン状態とオフ状態とを交互に切替制御する個別・グループ制御に対応するものか、あるいは複数の負荷を制御対象としてそれぞれの負荷に予め定められた所定の制御状態へと一括的に制御するパターン制御に対応するものなのかを判断し、
前記外部システムからの接点信号に応じて、前記パターン制御を行う場合、接点信号の立ち上がりまたは接点信号の立ち下がりに対応して、制御対象負荷を前記所定の制御状態へと移行させる制御指令を出力する連続信号対応の動作モードを有することを特徴とする接点入力端末器。
【請求項２】
前記制御部は、前記外部システムからの接点信号に応じて、前記個別・グループ制御を行う場合、接点信号の立ち上がりに対応して制御対象負荷をオン状態とする制御指令を出力するとともに、接点信号の立ち下がりに対応して制御対象負荷をオフ状態とする制御指令を出力することを特徴とする請求項１に記載された接点入力端末器。
【請求項３】
前記制御部の動作モードを切り替える切替部をさらに有し、
前記接続部は、前記外部システムからの接点信号として、接点変化と対応したワンパルス信号が接続可能となっており、
前記制御部は、前記外部システムからの接点信号に応じて前記パターン制御を行う場合、接点信号の立ち上がりに対応して、制御対象負荷を前記所定の制御状態へと移行させる制御指令を出力するワンパルス信号対応の動作モードをさらに有しており、前記切替部による切り替えに応じて、前記連続信号対応の動作モードと前記ワンパルス信号対応の動作モードとが択一的に設定されることを特徴とする請求項１または２に記載された接点入力端末器。
【請求項４】
制御対象となる負荷の状態を変化させるための外部システムからの接点信号に応じて、信号線に多重伝送方式で伝送される伝送信号により、制御対象負荷を制御するための制御指令を出力する接点入力端末器において、
前記外部システムからの接点信号として、接点変化と対応したワンパルス信号が接続される接続部と、
前記接続部に入力される接点信号を監視し、接点信号の立ち上がりまたは接点信号の立ち下がりを検出する検出部と、
前記検出部における検出結果に基づいて、前記制御指令を出力する制御部とを有し、
前記制御部は、前記接続部のアドレス情報が単一の負荷または同一グループ内の複数の負荷を制御対象としてオン状態とオフ状態とを交互に切替制御する個別・グループ制御に対応するものか、あるいは複数の負荷を制御対象としてそれぞれの負荷に予め定められた所定の制御状態へと一括的に制御するパターン制御に対応するものなのかを判断し、
前記外部システムからの接点信号に応じて、前記個別・グループ制御を行う場合、接点信号の立ち上がりに対応して、制御対象負荷を現在の制御状態から他方の制御状態へと切り替える制御指令を出力するワンパルス信号対応の動作モードを有することを特徴とする接点入力端末器。
【請求項５】
制御対象負荷の現在の制御状態を記憶する記憶部をさらに有し、
前記制御部は、制御状態を切り替える制御指令を出力する度に、前記記憶部の制御状態を更新することを特徴とする請求項４に記載された接点入力端末器。
【請求項６】
前記制御部は、前記外部システムからの接点信号に応じて、前記パターン制御を行う場合、接点信号の立ち上がりに対応して、制御対象負荷を前記所定の制御状態へと移行させる制御指令を出力することを特徴とする請求項４または５に記載された接点入力端末器。
【請求項７】
前記制御部の動作モードを切り替える切替部をさらに有し、
前記接続部は、前記外部システムからの接点信号として、接点変化と連動する連続信号が接続可能となっており、
前記制御部は、前記外部システムからの接点信号に応じて前記個別・グループ制御を行う場合、接点信号の立ち上がりに対応して制御対象負荷をオン状態とする制御指令を出力するとともに、接点信号の立ち下がりに対応して前記制御対象負荷をオフ状態とする制御指令を出力する連続信号対応の動作モードをさらに有しており、前記切替部による切り替えに応じて、前記ワンパルス信号対応の動作モードと前記連続信号対応の動作モードとが択一的に設定されることを特徴とする請求項４から６のいずれか一項に記載された接点入力端末器。
【請求項８】
制御対象となる負荷の状態を変化させるための外部システムからの接点信号に応じて、信号線に多重伝送方式で伝送される伝送信号により、制御対象負荷を制御するための制御指令を出力する接点入力端末器において、
前記外部システムからの接点信号として、接点変化と連動する連続信号が接続される接続部と、
前記接続部に入力される接点信号を監視し、接点信号の立ち上がりまたは接点信号の立ち下がりを検出する検出部と、
前記検出部における検出結果に基づいて、前記制御指令を出力する制御部とを有し、
前記制御部は、前記接続部のアドレス情報が単一の負荷または同一グループ内の複数の負荷を制御対象としてオン状態とオフ状態とを交互に切替制御する個別・グループ制御に対応するものか、あるいは複数の負荷を制御対象としてそれぞれの負荷に予め定められた所定の制御状態へと一括的に制御するパターン制御に対応するものなのかを判断し、
前記外部システムからの接点信号に応じて、前記個別・グループ制御を行う場合、接点信号の立ち上がりに対応して制御対象負荷をオフ状態とする制御指令を出力するとともに、接点信号の立ち下がりに対応して前記制御対象負荷をオン状態とする制御指令を出力する反転動作モードを有することを特徴とする接点入力端末器。
【請求項９】
前記制御部の動作モードを切り替える切替部をさらに有し、
前記制御部は、前記外部システムからの接点信号に応じて前記個別・グループ制御を行う場合、接点信号の立ち上がりに対応して制御対象負荷をオン状態とする制御指令を出力するとともに、接点信号の立ち下がりに対応して制御対象負荷をオフ状態とする制御指令を出力する通常動作モードをさらに有しており、前記切替部による切り替えに応じて、前記反転動作モードと前記通常動作モードとが択一的に設定されることを特徴とする請求項８に記載された接点入力端末器。
【発明の詳細な説明】
【技術分野】
【０００１】
本発明は、制御対象となる負荷の状態を変化させるための外部システムからの接点信号に応じて、信号線に多重伝送方式で伝送される伝送信号により、制御対象負荷を制御するための制御指令を出力する接点入力端末器に関する。
【背景技術】
【０００２】
従来より、接点信号の入力に応じて動作する負荷の状態を変化させる操作デバイスやセンサ等の外部システムを接点入力端末器に接続すると共に、この負荷を接点出力端末器に接続し、この接点入力端末器が外部システムから入力した接点信号に応じて、制御指令を出力することにより、接続した負荷の状態を制御する制御システムが知られている（例えば、特許文献１等参照）。
【０００３】
この類の制御システムでは、利用者の利便性を考慮して、個別制御、グループ制御、パターン制御といった種々の制御形態が用意されている。個別制御は、単一の負荷を制御対象として、オン状態とオフ状態とを交互に切替制御する手法であり、グループ制御は、同一のグループに含まれる複数の負荷を制御対象として、オン状態とオフ状態と交互に一括的に切替制御する手法である。一方、パターン制御は、複数の負荷を制御対象として、それぞれの負荷に予め定められた所定の制御状態へと一括的に制御する手法である。
【０００４】
接点入力端末器は、外部システムからの接点信号が接続されており、この接点信号の立ち上がりまたは立ち下がりを検出している。接点入力端末器は、外部システムからの接点信号に対して個別制御またはグループ制御を行う場合には、接点信号が連続信号であることを前提に、接点信号の立ち上がりに対応して負荷または複数の負荷を含むグループをオン状態に制御して、接点信号の立ち上がりに対応して負荷または複数の負荷を含むグループをオフ状態に制御する。これに対して、接点入力端末器は、外部システムからの接点信号に対してパターン制御を行う場合には、接点信号がワンパルス信号であることを前提に、接点信号の立ち上がりに対応して、複数の負荷を所定の制御状態に制御している。すなわち、この接点入力端末器は、接点信号およびその信号変化に対応して、その動作パターンが一義的に決定されていた。
【特許文献１】特開２０００−３４１７６９号公報
【発明の開示】
【発明が解決しようとする課題】
【０００５】
ところで、従来の接点入力端末器によれば、外部システムが、その特性上、接点信号として連続信号しか出力できない場合には、パターン制御を所望とする動作で実現することができないという問題がある。具体的には、接点信号の立ち上がりでパターン制御を行うことができるものの、接点状態をもとに戻すための便宜的な制御が必要となる。この点、接点入力端末器と外部システムとの間に、パルス発生器を介在させることも考えられるが、システム構築が複雑かつ煩雑となる。
【０００６】
また、従来の接点入力端末器によれば、外部システムが、その特性上、接点信号としてワンパルス信号しか出力できない場合には、連続的な接点メイクがなされないので、個別制御またはグループ制御を所望とする動作で実現することができないという問題がある。この場合、接点入力端末器と外部システムとの間に、ラッチングリレーのようなパルス入力を受けて連続出力できるような機器を介在させることも考えられるが、システム構築が複雑かつ煩雑となる。また、パターン制御という形態で、個別制御またはグループ制御を実現することも可能であるが、個々の制御形態に対応してそれぞれ二つの回路（オン状態へのパターン制御用回路およびオフ状態へのパターン制御用回路）を消費するため、回路の浪費という点に繋がる可能性ある。
【０００７】
さらに、従来の接点入力端末器によれば、接点信号の立ち上がりに対応して負荷をオフ状態に制御して、接点信号の立ち下がりに対応して負荷をオン状態に制御するという、通常とは反転した動作を実現することができないとい不都合がある。この場合には、接点入力端末器と外部システムとの間に、外部システムからの接点信号を反転出力する出力する機器を介在させる必要があり、システム構築が複雑かつ煩雑となるという不都合がある。
【０００８】
本発明は、このような事情に鑑みてなされたものであり、その目的は、システム構築の複雑化・煩雑化を抑制しつつ、外部システムからの接点信号の種別に拘わらず、所望とする負荷制御を実現する接点入力端末器を提供することである。
【課題を解決するための手段】
【０００９】
かかる課題を解決するために、第１の発明は、制御対象となる負荷の状態を変化させるための外部システムからの接点信号に応じて、信号線に多重伝送方式で伝送される伝送信号により、制御対象負荷を制御するための制御指令を出力する接点入力端末器を提供する。この接点入力端末器は、外部システムからの接点信号として、接点変化と連動する連続信号が接続される接続部と、接続部に入力される接点信号を監視し、接点信号の立ち上がりまたは接点信号の立ち下がりを検出する検出部と、検出部における検出結果に基づいて、制御指令を出力する制御部とを有する。この場合、制御部は、外部システムからの接点信号に応じて、複数の負荷を制御対象としてそれぞれの負荷に予め定められた所定の制御状態へと一括的に制御するパターン制御を行う場合、接点信号の立ち上がりまたは接点信号の立ち下がりに対応して、制御対象負荷を所定の制御状態へと移行させる制御指令を出力する連続信号対応の動作モードを有する。
【００１０】
ここで、第１の発明において、制御部は、外部システムからの接点信号に応じて、単一の負荷または同一グループ内の複数の負荷を制御対象としてオン状態とオフ状態とを交互に切替制御する個別・グループ制御を行う場合、接点信号の立ち上がりに対応して制御対象負荷をオン状態とする制御指令を出力するとともに、接点信号の立ち下がりに対応して制御対象負荷をオフ状態とする制御指令を出力することが好ましい。
【００１１】
また、第１の発明は、制御部の動作モードを切り替える切替部をさらに有することが好ましい。この場合、接続部は、外部システムからの接点信号として、接点変化と対応したワンパルス信号が接続可能となっており、制御部は、外部システムからの接点信号に応じてパターン制御を行う場合、接点信号の立ち上がりに対応して、制御対象負荷を所定の制御状態へと移行させる制御指令を出力するワンパルス信号対応の動作モードをさらに有しており、切替部による切り替えに応じて、連続信号対応の動作モードとワンパルス信号対応の動作モードとが択一的に設定される。
【００１２】
第２の発明は、制御対象となる負荷の状態を変化させるための外部システムからの接点信号に応じて、信号線に多重伝送方式で伝送される伝送信号により、制御対象負荷を制御するための制御指令を出力する接点入力端末器を提供する。この接点入力端末器は、外部システムからの接点信号として、接点変化と対応したワンパルス信号が接続される接続部と、接続部に入力される接点信号を監視し、接点信号の立ち上がりまたは接点信号の立ち下がりを検出する検出部と、検出部における検出結果に基づいて、制御指令を出力する制御部とを有する。この場合、制御部は、外部システムからの接点信号に応じて、単一の負荷または同一グループ内の複数の負荷を制御対象としてオン状態とオフ状態とを交互に切替制御する個別・グループ制御を行う場合、接点信号の立ち上がりに対応して、制御対象負荷を現在の制御状態から他方の制御状態へと切り替える制御指令を出力するワンパルス信号対応の動作モードを有する。
【００１３】
ここで、第２の発明は、制御対象負荷の現在の制御状態を記憶する記憶部をさらに有することが好ましい。この場合、制御部は、制御状態を切り替える制御指令を出力する度に、記憶部の制御状態を更新する。
【００１４】
また、第２の発明において、制御部は、外部システムからの接点信号に応じて、複数の負荷を制御対象としてそれぞれの負荷に予め定められた所定の制御状態へと一括的に制御するパターン制御を行う場合、接点信号の立ち上がりに対応して、制御対象負荷を所定の制御状態へと移行させる制御指令を出力することが望ましい。
【００１５】
さらに、第２の発明は、制御部の動作モードを切り替える切替部をさらに有することが好ましい。この場合、接続部は、外部システムからの接点信号として、接点変化と連動する連続信号が接続可能となっており、制御部は、外部システムからの接点信号に応じて個別・グループ制御を行う場合、接点信号の立ち上がりに対応して制御対象負荷をオン状態とする制御指令を出力するとともに、接点信号の立ち下がりに対応して制御対象負荷をオフ状態とする制御指令を出力する連続信号対応の動作モードをさらに有しており、切替部による切り替えに応じて、ワンパルス信号対応の動作モードと連続信号対応の動作モードとが択一的に設定される。
【００１６】
また、第３の発明は、制御対象となる負荷の状態を変化させるための外部システムからの接点信号に応じて、信号線に多重伝送方式で伝送される伝送信号により、制御対象負荷を制御するための制御指令を出力する接点入力端末器を提供する。この接点入力端末器は、外部システムからの接点信号として、接点変化と連動する連続信号が接続される接続部と、接続部に入力される接点信号を監視し、接点信号の立ち上がりまたは接点信号の立ち下がりを検出する検出部と、検出部における検出結果に基づいて、制御指令を出力する制御部とを有する。この場合、制御部は、外部システムからの接点信号に応じて、単一の負荷または同一グループ内の複数の負荷を制御対象としてオン状態とオフ状態とを交互に切替制御する個別・グループ制御を行う場合、接点信号の立ち上がりに対応して制御対象負荷をオフ状態とする制御指令を出力するとともに、接点信号の立ち下がりに対応して制御対象負荷をオン状態とする制御指令を出力する反転動作モードを有する。
【００１７】
ここで、第３の発明は、制御部の動作モードを切り替える切替部をさらに有することが好ましい。この場合、制御部は、外部システムからの接点信号に応じて個別・グループ制御を行う場合、接点信号の立ち上がりに対応して制御対象負荷をオン状態とする制御指令を出力するとともに、接点信号の立ち下がりに対応して制御対象負荷をオフ状態とする制御指令を出力する通常動作モードをさらに有しており、切替部による切り替えに応じて、反転動作モードと通常動作モードとが択一的に設定される。
【発明の効果】
【００１８】
本発明によれば、システム構築の複雑化・煩雑化を抑制しつつ、外部システムからの接点信号の種別に拘わらず、所望とする負荷制御を実現することできる。
【発明を実施するための最良の形態】
【００１９】
（第１の実施形態）
図１は、本発明の第１の実施形態にかかる照明制御システムを模式的に示す構成図である。照明制御システムは、伝送ユニット１０と、リレー制御用ターミナルユニット（以下「リレー制御用Ｔ／Ｕ」という）２０と、リレー２５と、リモコントランス３０と、接点入力端末器である接点入力ターミナルユニット（以下「接点入力Ｔ／Ｕ」という）４０と、操作端末器６０とを主体に構成されている。
【００２０】
リレー制御用Ｔ／Ｕ２０、接点入力Ｔ／Ｕ４０および操作端末器６０は、２線式の信号線を介して伝送ユニット１０と相互に接続されており、伝送ユニット１０との情報のやり取りは、信号線に多重伝送方式で伝送される伝送信号を通じて行われる。また、リレー制御用Ｔ／Ｕ２０には、リレー２５が接続されており、制御対象となる負荷である照明装置１は、このリレー２５を介してリレー制御用Ｔ／Ｕ２０と接続されている。
【００２１】
システム内に存在する照明装置１（正確には、その照明装置１が接続するリレー２５）は、負荷アドレスによって一意に特定することができる。具体的には、リレー制御用Ｔ／Ｕ２０には、負荷チャネル（Ｃｈ）と呼ばれる固有の識別子が割り当てられており、リレー制御用Ｔ／Ｕ２０に接続するリレー２５には、負荷ナンバー（Ｎｍ）と呼ばれる固有の識別子が割り当てられている。負荷チャネル（Ｃｈ）と、負荷ナンバー（Ｎｍ）とを組み合わせることにより、負荷アドレス（Ｃｈ−Ｎｍ（図１参照））が構成される。
【００２２】
本実施形態にかかる照明制御システムは、伝送ユニット１０が、接点入力Ｔ／Ｕ４０または操作端末器６０から送信される伝送信号に基づいて、リレー制御用Ｔ／Ｕ２０およびリレー２５を介して、照明装置１の状態を制御することができる。この照明制御システムでは、個別制御、グループ制御およびパターン制御といった様々な照明制御を行うことができる。個別制御は、単一の照明装置１を制御対象として、オン状態とオフ状態とを交互に切替制御する手法であり、グループ制御は、同一のグループに含まれる複数の照明装置１を制御対象として、オン状態とオフ状態と交互に一括的に切替制御する手法である。一方、パターン制御は、複数の照明装置１を制御対象として、それぞれの照明装置１に予め定められた所定の制御状態（以下「パターン状態」という）へと一括的に制御する手法である。
【００２３】
伝送ユニット１０は、内部のプロセッサの制御のもと、接点入力Ｔ／Ｕ４０または操作端末器６０からの伝送信号に基づいて、接点入力Ｔ／Ｕ４０または操作端末器６０に関連付けられたアドレス情報から制御対象となる照明装置１を特定するとともに、当該照明装置１に対する制御状態を特定する。そして、伝送ユニット１０は、制御対象となる照明装置１と対応するリレー制御用Ｔ／Ｕ２０に対して、照明装置１のアドレス情報と、その制御状態とを制御指令として送信する。
【００２４】
このアドレス情報は、個別アドレス、グループアドレスまたはパターンアドレスを含む。個別アドレスは、個別制御の対象となる照明装置１を特定するための情報であり、負荷アドレスがこれに該当する（例えば、「０−１」など）。グループアドレスは、グループ制御の対象となるグループを特定するための情報であり、予め設定された個々のグループに付与された番号等がこれに該当する（例えば、「Ｇ１」など）。パターンアドレスは、パターン制御の対象となるパターンを特定するための情報であり、予め設定された個々のパターンに付与された番号等がこれに該当する（例えば、「Ｐ１」など）。
【００２５】
伝送ユニット１０は、個々のグループアドレス毎に、そのグループに割り当てられる照明装置１の負荷アドレスを示したグループ情報を保持している。そのため、伝送ユニット１０は、接点入力Ｔ／Ｕ４０または操作端末器６０からグループアドレスを取得した場合には、グループ情報を検索することで、このグループアドレスに該当する複数の照明装置１（負荷アドレス）を特定することができる。
【００２６】
また、伝送ユニット１０は、個々のパターンアドレス毎に、そのパターンに割り当てられる照明装置１の負荷アドレスと、その照明装置１のパターン状態（例えば、オン状態またはオフ状態）との対応関係を示したパターン情報を保持している。そのため、伝送ユニット１０は、接点入力Ｔ／Ｕ４０または操作端末器６０からパターンアドレスを取得した場合には、パターン情報を検索することで、このパターンアドレスに該当する複数の照明装置１（負荷アドレス）と、個々の照明装置１に対するパターン状態とを特定することができる。
【００２７】
リレー制御用Ｔ／Ｕ２０は、リレー２５の制御状態に応じて照明装置１の状態を制御する負荷制御端末器としての機能を担っている。リレー制御用Ｔ／Ｕ２０は、内部のプロセッサの制御のもと、伝送ユニット１０からの伝送信号に基づいて、自己に接続するリレー２５（本実施形態では、４つのリレー２５）のうち、制御対象となる照明装置１に対応するリレー２５に対して制御信号を送ることにより、リレー２５の状態を制御する。個々のリレー２５は、リレー制御用Ｔ／Ｕ２０に制御されて、ブレーカ電源などからの商用交流をオンまたはオフすることにより、照明装置１をオン状態（点灯状態）またはオフ状態（消灯状態）に制御する。
【００２８】
リモコントランス３０は、リレー制御用Ｔ／Ｕ２０、リレー２５および接点入力Ｔ／Ｕ４０に駆動用の電力を供給する。
【００２９】
接点入力Ｔ／Ｕ４０および操作端末器６０は、制御対象となる照明装置１を制御するための制御指令を出力するための入力端末器としての機能を担っている。接点入力Ｔ／Ｕ４０は、外部システム５０の接点（無電圧ａ接点）からの接点信号を接続することにより、外部システム５０を介して、上述した各照明制御を行うことができる。本実施形態の特徴の一つは、この接点入力Ｔ／Ｕ４０にあり、その詳細な説明については後述する。
【００３０】
操作端末器６０は、室内や管理人室などの任意の壁面に設置されており、照明装置１を利用するユーザによってプッシュ操作が可能な端末器である。操作端末器６０は、複数の操作スイッチ６１が設けられており、個々の操作スイッチ６１には、当該操作スイッチ６１によって操作したい照明装置１、グループまたはパターンに対応したアドレス情報が関連付けられている。操作端末器６０は、内部のプロセッサの制御のもと、操作スイッチ６１のいずれかが操作されるのに応じて、その操作スイッチ６１に関連付けられているアドレス情報と、操作スイッチ６１の操作状態（オン状態またはオフ状態）とを制御指令として伝送ユニット１０に送信する。
【００３１】
操作スイッチ６１にアドレス情報として個別アドレスまたはグループアドレスが関連付けられている場合、この操作スイッチ６１のプッシュ操作に応じて、アドレス情報に対応する照明装置１は、オン状態またはオフ状態の間で反転動作する。一方、操作スイッチ６１にアドレス情報としてパターンアドレスが関連付けられている場合、この操作スイッチ６１のプッシュ操作に応じて、アドレス情報に対応する個々の照明装置１は予め設定されたパターン状態へと移行する。
【００３２】
図２は、本発明の実施形態にかかる接点入力Ｔ／Ｕ４０の構成を示すブロック図である。以下、本実施形態の特徴の一つである接点入力Ｔ／Ｕ４０について説明する。接点入力Ｔ／Ｕ４０は、制御部４０ａと、伝送信号送受信部４０ｂと、接点入力検知部４０ｃと、検知回路用電源部４０ｄと、光通信部４０ｅと、記憶部４０ｆと、モード切替部４０ｇとを主体に構成されている。接点入力Ｔ／Ｕ４０には、リモコントランス３０からの電力線が接続される一対の端子からなる第１の端子部４１と、２線式の信号線が接続される一対の端子からなる第２の端子部４２と、外部システム５０からの接点信号が接続される一対の端子からなる第３の端子部（接続部）４３とが設けられている（図１参照）。ここで、第３の端子部４３は複数設けられており、この接点入力Ｔ／Ｕ４０には、第３の端子部４３の設置個数を上限として、複数の外部システムを接続することができる。
【００３３】
制御部４０ａは、ユニット全体の動作を総合的に制御する機能を担っており、後述する種々の動作を実行する。制御部４０ａとしては、ＣＰＵ、ＲＯＭ、ＲＡＭ、Ｉ／Ｏインターフェースを主体に構成されたマイクロコンピュータを用いることができる。伝送信号送受信部４０ｂは、第２の端子部４２に接続する信号線を介して、伝送ユニット１０から送信される伝達信号を受信してこれを制御部４０ａに出力するとともに、制御部４０ａからの制御指令に対応する伝送信号を信号線を介して伝送ユニット１０に送信する。
【００３４】
接点入力検知部４０ｃは、第３の端子部４３を介して外部システムから入力される接点信号を監視し、接点信号の変化、すなわち、接点信号の立ち上がりまたは接点信号の立ち下がりを検出する。検知回路用電源部４０ｄは、第１の端子部４１を介して供給される電力を、接点入力検知部４０ｃの検知用回路に対して供給する。
【００３５】
光通信部４０ｅは、設定者によって操作されるアドレス設定器（図示せず）との間で、光通信による情報の送受信を行う。光通信部４０ｅによって受信されたアドレス設定器からの情報は、制御部４０ａに対して出力される。アドレス設定器との通信により、接点入力Ｔ／Ｕ４０に関連付けるアドレス情報を取得することができる。接点入力Ｔ／Ｕ４０には、外部システムが接続する個々の第３の端子部４３毎に、アドレス情報を関連付けることができる。記憶部４０ｆは、アドレス情報といった各種の情報を記憶する機能を担っており、ＥＥＰＲＯＭといった不揮発性メモリを用いることができる。
【００３６】
モード切替部４０ｇは、制御部４０ａに対して、動作モードを切り替えるための切り替え信号を担っており、例えば、設定者によって操作可能なディップスイッチ（図示せず）を用いることができる。
【００３７】
図３は、接点入力Ｔ／Ｕ４０と伝送ユニット１０との間の伝送手順を示す説明図である。まず、ステップ１（Ｓ１）において、接点信号に変化が生じると、具体的には、接点信号が立ち上がるまたは接点信号が立ち下がると、これが接点入力検知部４０ｃによって検知される。ステップ２（Ｓ２）において、制御部４０ａは、伝送信号送受信部４０ｂを介して、伝送ユニット１０に割り込み要求を送信する。
【００３８】
ステップ３（Ｓ３），４（Ｓ４）において、伝送ユニット１０は、自己に接続する端末器（リレー制御用Ｔ／Ｕ２０、接点入力Ｔ／Ｕ４０、操作端末器６０）のうち、割り込み要求を行った端末器を特定する処理を行う。具体的には、伝送ユニット１０は、割り込み要求として送信された伝送信号において、それに含まれる情報のなかから、端末器識別用のアドレスデータの上位アドレスを特定する。そして、伝送ユニット１０は、この上位アドレスに対応する複数の端末器をグループとして一括的にアクセスするグループアクセスによって、端末検索を送信する。つぎに、端末検索の送信に対応して、割り込み要求を行った端末器、すなわち、接点入力Ｔ／Ｕ４０は、残りの下位アドレスを伝送ユニット１０に対して返信する。これにより、接点入力Ｔ／Ｕ４０が割込み要求を行ったことを伝送ユニット１０に対して知らせることができる。
【００３９】
ステップ５（Ｓ５）において、伝送ユニット１０は、割込み要求を行った端末器、すなわち、接点入力Ｔ／Ｕ４０から下位アドレスを取得すると、これに基づいて端末器を特定し、この接点入力Ｔ／Ｕ４０に対して、接点確認要求を送信する。ステップ６（Ｓ６）において、接点確認要求を受信すると、接点入力Ｔ／Ｕ４０は、接点信号の状態確認を行う。
【００４０】
ステップ７（Ｓ７）において、接点入力Ｔ／Ｕ４０は、どの外部システムの接点に変化があったのか（具体的には、第３の端子部４３のうち、どの端子部４３に接続する接点信号に変化があったのか）、および、その接点信号がどのように変化したのか（具体的には、接点信号が立ち上がったのか、それとも立ち下がったのか）を示す接点情報を取得する。
【００４１】
ステップ８（Ｓ８）において、接点入力Ｔ／Ｕ４０は、接点情報に基づいて、接点信号に変化があった第３の端子部４３に関連付けられるアドレス情報と、接点信号の変化に対応した照明装置１の制御状態とを制御指令として伝送ユニット１０に対して送信する。
【００４２】
ステップ９（Ｓ９）において、伝送ユニット１０は、接点入力Ｔ／Ｕ４０に割り込み終了要求を送信する。
【００４３】
以下、本実施形態の特徴の一つである、接点入力Ｔ／Ｕ４０によるステップ７，８の処理について詳述する。ここで、図４および図５は、接点信号とリレー２５の制御状態との関係を示す説明図である。
【００４４】
図４に示すように、ある第３の端子部４３のアドレス情報として、個別アドレスまたはグループアドレスが設定されている場合、通常、この第３の端子部４３には、接点信号として、接点変化と連動する連続信号（時間Ｔ１（例えば、１sec）以上）が接続される。このケースでは、接点入力Ｔ／Ｕ４０は、接点信号の立ち上がりに対応して、第３の端子部４３のアドレス情報と、接点信号の変化に対応した照明装置１の制御状態（基本的には、オン状態）とを制御指令として出力する。これにともない、伝送ユニット１０およびリレー制御用Ｔ／Ｕ２０により、アドレス情報と対応するリレー２５がオンされる（すなわち、対応する照明装置１がオン状態（点灯状態）に制御される）。一方、接点入力Ｔ／Ｕ４０は、接点信号の立ち下がりに対応して、第３の端子部４３のアドレス情報と、接点信号の変化に対応した照明装置１の制御状態（基本的には、オフ状態）とを制御指令として出力する。これにともない、伝送ユニット１０およびリレー制御用Ｔ／Ｕ２０により、アドレス情報と対応するリレー２５がオフされる（すなわち、対応する照明装置１がオフ状態（消灯状態）に制御される）。
【００４５】
これに対して、図５に示すように、ある第３の端子部４３のアドレス情報として、パターンアドレスが設定されている場合、通常、この第３の端子部４３には、接点信号として接点変化と対応したワンパルス信号（時間Ｔ２（例えば、０．２sec）以上）が接続される。このケースでは、接点入力Ｔ／Ｕ４０は、接点信号の立ち上がりに対応して、第３の端子部４３のアドレス情報と、接点信号の変化に対応した照明装置１の制御状態（パターン状態）とを制御指令として出力する。これにともない、伝送ユニット１０およびリレー制御用Ｔ／Ｕ２０により、アドレス情報と対応する対応するリレー２５がオンまたはオフされる（すなわち、対応する照明装置１がパターン状態に制御される）。
【００４６】
本実施形態の特徴の一つとして、接点入力Ｔ／Ｕ４０は、第３の端子部４３にパターンアドレスが設定されている場合、すなわち、外部システムからの接点信号に応じてパターン制御を行う場合、この接点信号がワンパルス信号であることを前提に、図５を示して説明したような処理を行う（ワンパルス信号対応の動作モード）。一方で、接点入力Ｔ／Ｕ４０は、この動作モードとは別の動作モードとして、連続信号対応の動作モードで動作することができる。この連続信号対応の動作モードにおいて、接点入力Ｔ／Ｕ４０は、接点信号が連続信号であることを前提に、接点信号の立ち上がりまたは接点信号の立ち下がりに対応して、制御対象となる照明装置１をパターン状態へと移行させる制御指令を出力する。
【００４７】
動作モードの切り替えは、ディップスイッチによって具体化されるモード切替部４０ｇによって実現することができる。例えば、接点信号として連続信号しか出力できない外部システムが第３の端子部４３に接続されており、かつ、この第３の端子部４３に入力される接点信号に対してパターン制御を行う場合（すなわち、第３の端子部４３にパターンアドレスが関連付けられている場合）には、動作モードを切り替えることにより、接点入力Ｔ／Ｕ４０を連続信号対応の動作モードで動作させる。
【００４８】
図６は、連続信号対応の動作モードが設定された接点入力Ｔ／Ｕ４０の動作を具体的に示すフローチャートである。
【００４９】
まず、ステップ１０（Ｓ１０）において、接点入力Ｔ／Ｕ４０は、接点信号の立ち上がりを検出したか否かを判断する。このステップ１０において肯定判定された場合、ステップ１１（Ｓ１１）に進む。一方、ステップ１０において否定判定された場合、後述するステップ１５（Ｓ１５）に進む。
【００５０】
ステップ１１において、接点入力Ｔ／Ｕ４０は、接点変化があった第３の端子部４３のアドレス情報が、個別制御に対応するもの（個別アドレス）、あるいは、グループ制御に対応するもの（グループアドレス）であるか否かを判断する（個制御 or Ｇ制御？）。このステップ１１において肯定判定された場合、ステップ１２（Ｓ１２）に進む。一方、ステップ１１において否定判定された場合、後述するステップ１３（Ｓ１３）に進む。
【００５１】
ステップ１２において、接点入力Ｔ／Ｕ４０は、接点変化があった第３の端子部４３のアドレス情報（個別アドレスまたはグループアドレス）と、接点信号の変化に対応した照明装置１の制御状態（オン状態）とを制御指令として出力する（オン処理）。
【００５２】
ステップ１３において、接点入力Ｔ／Ｕ４０は、接点変化があった第３の端子部４３のアドレス情報が、パターン制御に対応するもの（パターンアドレス）であるか否かを判断する（パターン制御？）。このステップ１３において肯定判定された場合、ステップ１４（Ｓ１４）に進む。一方、ステップ１３において否定判定された場合、本ルーチンを抜ける。
【００５３】
ステップ１４において、接点入力Ｔ／Ｕ４０は、接点変化があった第３の端子部４３のアドレス情報（パターンアドレス）と、接点信号の変化に対応した照明装置１の制御状態（基本的には、パターン状態）とを制御指令として出力する（パターン処理）。
【００５４】
ステップ１５において、接点入力Ｔ／Ｕ４０は、接点信号の立ち下がりを検出したか否かを判断する。このステップ１５において肯定判定された場合、ステップ１６（Ｓ１６）に進む。一方、ステップ１５において否定判定された場合、本ルーチンを抜ける。
【００５５】
ステップ１６において、接点入力Ｔ／Ｕ４０は、接点変化があった第３の端子部４３のアドレス情報が、個別制御に対応するもの（個別アドレス）、あるいは、グループ制御に対応するもの（グループアドレス）であるか否かを判断する。このステップ１６において肯定判定された場合、ステップ１７（Ｓ１７）に進む。一方、ステップ１６において否定判定された場合、後述するステップ１８（Ｓ１８）に進む。
【００５６】
ステップ１７において、接点入力Ｔ／Ｕ４０は、接点変化があった第３の端子部４３のアドレス情報（個別アドレスまたはグループアドレス）と、接点信号の変化に対応した照明装置１の制御状態（オフ状態）とを制御指令として出力する（オフ処理）。
【００５７】
ステップ１８において、接点入力Ｔ／Ｕ４０は、接点変化があった第３の端子部４３のアドレス情報が、パターン制御に対応するもの（パターンアドレス）であるか否かを判断する。このステップ１８において肯定判定された場合、ステップ１９（Ｓ１９）に進む。一方、ステップ１８において否定判定された場合、本ルーチンを抜ける。
【００５８】
ステップ１９において、接点入力Ｔ／Ｕ４０は、接点変化があった第３の端子部４３のアドレス情報（パターンアドレス）と、接点信号の変化に対応した照明装置１の制御状態（パターン状態）とを制御指令として出力する（パターン処理）。
【００５９】
このような照明制御システムにおいて、伝送ユニット１０は、操作端末器６０との伝送信号のやり取りを通じて、アドレス情報としての個別アドレス（例えば、個別アドレス「０−１」）と、接点信号の変化に対応した照明装置１の制御状態（オン状態またはオフ状態）とを特定する。特定された情報は、伝送ユニット１０から負荷チャネル「０」のリレー制御用Ｔ／Ｕ２０に伝送され、この負荷チャネル「０」のリレー制御用Ｔ／Ｕ２０によって、自己に接続する負荷ナンバー「１」のリレー２５が制御状態に応じて制御される。これにより、負荷アドレス「０−１」の照明装置１がオン状態またはオフ状態に制御される。
【００６０】
あるいは、伝送ユニット１０は、アドレス情報としてのグループアドレス（例えば、グループ「Ｇ１」）と、接点信号の変化に対応した照明装置１の制御状態（オン状態またはオフ状態）とを特定する。伝送ユニット１０は、アドレス情報がグループアドレスの場合には、グループ情報を参照し、そのグループ「Ｇ１」に含まれる負荷アドレスを特定する（例えば、負荷アドレス「０−１」，「１−２」）。特定された情報は、伝送ユニット１０から負荷チャネル「０」および「１」のリレー制御用Ｔ／Ｕ２０に伝送される。そして、負荷チャネル「０」のリレー制御用Ｔ／Ｕ２０によって、自己に接続する負荷ナンバー「１」のリレー２５が制御状態に応じて制御され、また、負荷チャネル「１」のリレー制御用Ｔ／Ｕ２０によって、自己に接続する負荷ナンバー「２」のリレー２５が制御状態に応じて制御される。これにより、グループ「Ｇ１」に対応する照明装置１がオン状態（またはオフ状態）に一括的に切り替え制御される。
【００６１】
あるいは、伝送ユニット１０は、アドレス情報としてのパターンアドレス（例えば、パターン「Ｐ１」）と、接点信号の変化に対応した照明装置１の制御状態（パターン状態）とを特定する。伝送ユニット１０は、アドレス情報がパターンアドレスの場合には、パターン情報を参照し、そのグループ「Ｐ１」に含まれる負荷アドレスと（例えば、負荷アドレス「０−３」，「１−４」）、個々のパターン状態とを特定する。特定された情報は、伝送ユニット１０から負荷チャネル「０」および「１」のリレー制御用Ｔ／Ｕ２０に伝送される。そして、負荷チャネル「０」のリレー制御用Ｔ／Ｕ２０によって、自己に接続する負荷ナンバー「３」のリレー２５が、パターン状態に応じて制御され、また、負荷チャネル「１」のリレー制御用Ｔ／Ｕ２０によって、自己に接続する負荷ナンバー「４」のリレー２５が、パターン状態に応じて制御される。これにより、パターン「Ｐ１」に対応する照明装置１がパターン状態へと制御される。
【００６２】
このように本実施形態によれば、接点入力Ｔ／Ｕ４０が、外部システムからの接点信号に応じてパターン制御を行うシーンにおいて、連続信号対応の動作モードを有している。これにより、外部システムの接点信号として、連続信号しか得られないようなケースであったとしても、図７に示すように、あたかもワンパルス信号を用いたかのようにパターン制御を行うことができる。
【００６３】
また、本実施形態によれば、外部システムからの接点信号に応じて個別制御またはグループ制御を行うシーンでは、接点入力Ｔ／Ｕ４０の動作は通常時のままで対応可能であり、上述の連続信号対応の動作モードが設定されたとしても、その動作に影響が与えることがない。
【００６４】
また、本実施形態によれば、接点入力Ｔ／Ｕ４０は、外部システムからの接点信号に応じてパターン制御を行うシーンにおいて、連続信号対応の動作モードと、ワンパルス信号対応の動作モードとを切り替えて動作させることができる。これにより、ワンパルス信号に対応する接点信号であっても、接点入力Ｔ／Ｕ４０の通常時の動作として、パターン制御を行うことができる。
【００６５】
さらに、連続信号対応の動作モードを有さない接点入力Ｔ／Ｕでは、外部システムの接点信号として連続信号しか得られないような場合、システムの構築が複雑かつ煩雑となるが、本実施形態によれば、このような不都合を解消することができる。これにより、システムを全体的に効率よく行うことができるので、設計時に生じるミス等も予防にも繋がる。また、システム利用者の多様な要望にも容易に対応することができる。
【００６６】
（第２の実施形態）
本実施形態の特徴の一つとして、接点入力Ｔ／Ｕ４０は、第３の端子部４３に個別アドレスまたはグループアドレスが設定されている場合、すなわち、外部システムからの接点信号に応じて個別・グループ制御を行う場合、この接点信号が連続信号であることを前提に、第１の実施形態において図４を示して説明したような処理を行う（連続信号対応の動作モード）。一方で、接点入力Ｔ／Ｕ４０は、この動作モードとは別の動作モードとして、ワンパルス信号対応の動作モードで動作することができる。このワンパルス信号対応の動作モードでは、接点入力Ｔ／Ｕ４０が、接点信号がワンパルス信号であることを前提に、接点信号の立ち上がりに対応して、制御対象となる照明装置１を現在の制御状態（例えば、オン状態）から他方の制御状態（例えば、オフ状態）へと切り替える制御指令を出力する。
【００６７】
動作モードの切り替えは、ディップスイッチによって具体化されるモード切替部４０ｇによって実現することができる。例えば、接点信号としてワンパルス信号しか出力できない外部システムが第３の端子部４３に接続されており、かつ、この第３の端子部４３に入力される接点信号に対して個別制御またはグループ制御を行う場合（すなわち、第３の端子部４３に個別アドレスまたはグループアドレスが関連付けられている場合）には、動作モードを切り替えることにより、接点入力Ｔ／Ｕ４０をワンパルス信号対応の動作モードで動作させる。
【００６８】
また、接点入力Ｔ／Ｕ４０において、記憶部４０ｆには、制御対象となる照明装置１の現在の制御状態が記憶されており、制御部４０ａは、制御状態を切り替える制御指令を出力する度に、記憶部４０ｆの制御状態を更新する。
【００６９】
図８は、ワンパルス信号対応の動作モードが設定された接点入力Ｔ／Ｕ４０の動作を示すフローチャートである。
【００７０】
まず、ステップ２０（Ｓ２０）において、接点入力Ｔ／Ｕ４０は、接点信号の立ち上がりを検出したか否かを判断する。このステップ２０において肯定判定された場合、ステップ２１（Ｓ２１）に進む。一方、ステップ２０において否定判定された場合、後述するステップ２６（Ｓ２６）に進む。
【００７１】
ステップ２１において、接点入力Ｔ／Ｕ４０は、接点変化があった第３の端子部４３のアドレス情報が、個別制御に対応するもの（個別アドレス）、あるいは、グループ制御に対応するもの（グループアドレス）であるか否かを判断する。このステップ２１において肯定判定された場合、ステップ２２（Ｓ２２）に進む。一方、ステップ２１において否定判定された場合、後述するステップ２４（Ｓ２４）に進む。
【００７２】
ステップ２２において、接点入力Ｔ／Ｕ４０は、内部の記憶装置（具体的には、記憶部４０ｆ）を検索し、接点変化があった第３の端子部４３のアドレス情報に対応する照明装置１の現在の制御状態を特定する。そして、接点入力Ｔ／Ｕ４０は、このアドレス情報と、接点信号の変化に対応した照明装置１の制御状態（現在の制御状態から反転させた制御状態）とを制御指令として出力する（オン／オフ処理）。
【００７３】
ステップ２３において、接点入力Ｔ／Ｕ４０は、接点変化があった第３の端子部４３のアドレス情報と、反転後の制御状態と関連付けて、内部の記憶装置に記憶する（記憶処理）。
【００７４】
ステップ２４において、接点入力Ｔ／Ｕ４０は、接点変化があった第３の端子部４３のアドレス情報が、パターン制御に対応するもの（パターンアドレス）であるか否かを判断する。このステップ２４において肯定判定された場合、ステップ２５（Ｓ２５）に進む。一方、ステップ２４において否定判定された場合、本ルーチンを抜ける。
【００７５】
ステップ２５において、接点入力Ｔ／Ｕ４０は、接点変化があった第３の端子部４３のアドレス情報（パターンアドレス）と、接点信号の変化に対応した照明装置１の制御状態（パターン状態）とを制御指令として出力する（パターン処理）。
【００７６】
ステップ２６において、接点入力Ｔ／Ｕ４０は、接点信号の立ち下がりを検出したか否かを判断する。このステップ２６において肯定判定された場合、ステップ２７（Ｓ２７）に進む。一方、ステップ２６において否定判定された場合、本ルーチンを抜ける。
【００７７】
ステップ２７において、接点入力Ｔ／Ｕ４０は、接点変化があった第３の端子部４３のアドレス情報が、個別制御に対応するもの（個別アドレス）、あるいは、グループ制御に対応するもの（グループアドレス）であるか否かを判断する。このステップ２７において肯定判定された場合、本ルーチンを抜ける。一方、ステップ２７において否定判定された場合、後述するステップ２８（Ｓ２８）に進む。
【００７８】
ステップ２８において、接点入力Ｔ／Ｕ４０は、接点変化があった第３の端子部４３のアドレス情報が、パターン制御に対応するもの（パターンアドレス）であるか否かを判断する。このステップ１８において肯定判定された場合、本ルーチンを抜ける。一方、ステップ１８において否定判定された場合、本ルーチンを抜ける。
【００７９】
このように本実施形態によれば、接点入力Ｔ／Ｕ４０が、外部システムからの接点信号に応じて個別制御またはグループ制御を行うシーンにおいて、ワンパルス信号対応の動作モードを有している。これにより、外部システムの接点信号として、ワンパルス信号しか得られないようなケースであったとしても、図９に示すように、あたかも連続信号を用いたかのようにパターン制御を行うことができる。
【００８０】
また、本実施形態によれば、外部システムからの接点信号に応じてパターン制御を行うシーンでは、接点入力Ｔ／Ｕ４０の動作は通常時のままで対応可能であり、上述のワンパルス信号対応の動作モードが設定されたとしても、その動作に影響が与えることがない。
【００８１】
また、本実施形態によれば、接点入力Ｔ／Ｕ４０は、外部システムからの接点信号に応じて個別制御またはグループ制御を行うシーンにおいて、連続信号対応の動作モードと、ワンパルス信号対応の動作モードとを切り替えて動作させることができる。これにより、連続信号に対応する接点信号であっても、接点入力Ｔ／Ｕ４０の通常時の動作として、個別制御またはグループ制御を行うことができる。
【００８２】
さらに、ワンパルス信号対応の動作モードを有さない接点入力Ｔ／Ｕでは、外部システムの接点信号として連続信号しか得られないような場合、システムの構築が複雑かつ煩雑となるが、本実施形態によれば、このような不都合を解消することができる。これにより、システムを全体的に効率よく行うことができるので、設計時に生じるミス等も予防にも繋がる。また、システム利用者の多様な要望にも容易に対応することができる。
【００８３】
（第３の実施形態）
本実施形態の特徴の一つとして、外部システムからの接点信号に応じて個別制御またはグループ制御を行う場合、この接点信号が連続信号であることを前提に、図４を示して説明したような処理を行う（通常動作モード）。一方で、接点入力Ｔ／Ｕ４０は、この動作モードとは別の動作モードとして、反転動作モードで動作することができる。この反転動作モードでは、接点入力Ｔ／Ｕ４０が、接点信号が連続信号であることを前提に、接点信号の立ち上がりに対応して制御対象となる照明装置１をオフ状態とする制御指令を出力するとともに、接点信号の立ち下がりに対応して制御対象となる照明装置１をオン状態とする制御指令を出力する。動作モードの切り替えは、ディップスイッチによって具体化されるモード切替部４０ｇによって実現することができる。
【００８４】
図１０は、反転動作モードが設定された接点入力Ｔ／Ｕ４０の動作を示すフローチャートである。
【００８５】
まず、ステップ３０（Ｓ３０）において、接点入力Ｔ／Ｕ４０は、接点信号の立ち上がりを検出したか否かを判断する。このステップ３０において肯定判定された場合、ステップ３１（Ｓ３１）に進む。一方、ステップ３０において否定判定された場合、後述するステップ３５（Ｓ３５）に進む。
【００８６】
ステップ３１において、接点入力Ｔ／Ｕ４０は、接点変化があった第３の端子部４３のアドレス情報が、個別制御に対応するもの（個別アドレス）、あるいは、グループ制御に対応するもの（グループアドレス）であるか否かを判断する。このステップ３１において肯定判定された場合、ステップ３２（Ｓ３２）に進む。一方、ステップ３１において否定判定された場合、後述するステップ３３（Ｓ３３）に進む。
【００８７】
ステップ３２において、接点入力Ｔ／Ｕ４０は、接点変化があった第３の端子部４３のアドレス情報（個別アドレスまたはグループアドレス）と、接点信号の変化に対応した照明装置１の制御状態（オフ状態）とを制御指令として出力する（オフ処理）。
【００８８】
ステップ３３において、接点入力Ｔ／Ｕ４０は、接点変化があった第３の端子部４３のアドレス情報が、パターン制御に対応するもの（パターンアドレス）であるか否かを判断する。このステップ３３において肯定判定された場合、ステップ３４（Ｓ３４）に進む。一方、ステップ３３において否定判定された場合、本ルーチンを抜ける。
【００８９】
ステップ３４において、接点入力Ｔ／Ｕ４０は、接点変化があった第３の端子部４３のアドレス情報（パターンアドレス）と、接点信号の変化に対応した照明装置１の制御状態（パターン状態）とを制御指令として出力する（パターン処理）。
【００９０】
ステップ３５において、接点入力Ｔ／Ｕ４０は、接点信号の立ち下がりを検出したか否かを判断する。このステップ３５において肯定判定された場合、ステップ３６（Ｓ３６）に進む。一方、ステップ３５において否定判定された場合、本ルーチンを抜ける。
【００９１】
ステップ３６において、接点入力Ｔ／Ｕ４０は、接点変化があった第３の端子部４３のアドレス情報が、個別制御に対応するもの（個別アドレス）、あるいは、グループ制御に対応するもの（グループアドレス）であるか否かを判断する。このステップ３６において肯定判定された場合、ステップ３７（Ｓ３７）に進む。一方、ステップ３６において否定判定された場合、後述するステップ３８（Ｓ３８）に進む。
【００９２】
ステップ３７において、接点入力Ｔ／Ｕ４０は、接点変化があった第３の端子部４３のアドレス情報（個別アドレスまたはグループアドレス）と、接点信号の変化に対応した照明装置１の制御状態（オン状態）とを制御指令として出力する（オン処理）。
【００９３】
ステップ３８において、接点入力Ｔ／Ｕ４０は、接点変化があった第３の端子部４３のアドレス情報が、パターン制御に対応するもの（パターンアドレス）であるか否かを判断する。このステップ３８において肯定判定された場合、本ルーチンを抜ける。一方、ステップ３８において否定判定された場合、本ルーチンを抜ける。
【００９４】
このように本実施形態において、接点入力Ｔ／Ｕ４０は、外部システムからの接点信号（連続信号）に応じて個別制御またはグループ制御を行うシーンにおいて、反転動作モードを有している。これにより、外部システムからの接点信号に対応して、図１１に示すように、通常時の制御状態とは反転させた制御状態に、照明装置１を制御させることができる。
【００９５】
また、本実施形態によれば、接点入力Ｔ／Ｕ４０は、外部システムからの接点信号に応じて個別制御またはグループ制御を行うシーンにおいて、反転動作モードと、通常動作モードとを切り替えて動作させることができる。これにより、通常時の動作と、反転動作とを切り替えて設定することができるので、接点入力Ｔ／Ｕ４０のシステム適用性の向上を図ることができる。
【００９６】
さらに、反転動作モードを有さない接点入力Ｔ／Ｕでは、これにより反転動作を実現しようとすると、システムの構築が複雑かつ煩雑となるが、本実施形態によれば、このような不都合を解消することができる。これにより、システムを全体的に効率よく行うことができるので、設計時に生じるミス等も予防にも繋がる。また、システム利用者の多様な要望にも容易に対応することができる。
【００９７】
以上、本発明の実施形態にかかる照明制御システムおよび接点入力端末器（接点入力Ｔ／Ｕ４０）について説明したが、本発明は上述した実施形態に限定されることなく、その発明の範囲内において種々の変形が可能である。例えば、動作モードの切り替え、すなわち、第１の実施形態に示すパターン制御時におけるワンパルス信号対応の動作モードと連続信号対応の動作モードとの切り替え、第２の実施形態に示す個別・グループ制御時におけるワンパルス信号対応の動作モードと連続信号対応の動作モードとの切り替え、あるいは、第３の実施形態に示す通常動作モードと反転動作モードとの切り替えは、ディップスイッチを用いる手法に限定されない。これ以外にも、接点入力Ｔ／Ｕ４０の記憶部４０ｆに動作モード切替ビットを予め記憶しておき、これを読み取った場合に動作モードを切り替えることもできる。また、制御部４０ａのポートベースでジャンパー線を取り付け、ハイ（High）またはロー（Low）の状態に応じて動作モードを切り替えてもよい。ただし、個々の動作モードを固有の動作とする専用機として接点入力Ｔ／Ｕ４０を構成してもよい。
【００９８】
また、各実施形態では負荷として照明装置１を例示したが、接点信号によってその動作を制御することができる種々の負荷について、本発明を適用することができる。
【図面の簡単な説明】
【００９９】
【図１】第１の実施形態にかかる照明制御システムを模式的に示す構成図
【図２】接点入力Ｔ／Ｕ４０の構成を示すブロック図
【図３】接点入力Ｔ／Ｕ４０と伝送ユニット１０との間の伝送手順を示す説明図
【図４】接点信号とリレー２５の制御状態との関係を示す説明図
【図５】接点信号とリレー２５の制御状態との関係を示す説明図
【図６】連続信号対応の動作モードが設定された接点入力Ｔ／Ｕ４０の動作を具体的に示すフローチャート
【図７】接点信号とリレー２５の制御状態との関係を示す説明図
【図８】ワンパルス信号対応の動作モードが設定された接点入力Ｔ／Ｕ４０の動作を示すフローチャート
【図９】接点信号とリレー２５の制御状態との関係を示す説明図
【図１０】反転動作モードが設定された接点入力Ｔ／Ｕ４０の動作を示すフローチャート
【図１１】接点信号とリレー２５の制御状態との関係を示す説明図
【符号の説明】
【０１００】
１    照明装置
１０    伝送ユニット
２０    リレー制御用Ｔ／Ｕ
３０    リモコントランス
４０    接点入力Ｔ／Ｕ
４０ａ  制御部
４０ｂ  伝送信号送受信部
４０ｃ  接点入力検知部
４０ｄ  検知回路用電源部
４０ｅ  光通信部
４０ｆ  記憶部
４０ｇ  モード切替部
４１    第１の端子部
４２    第２の端子部
４３    第３の端子部
５０    外部システム
６０    操作端末器
６１    操作スイッチ
【図１】
0005017067.tif 000002
【図２】
0005017067.tif 000003
【図３】
0005017067.tif 000004
【図４】
0005017067.tif 000005
【図５】
0005017067.tif 000006
【図６】
0005017067.tif 000007
【図７】
0005017067.tif 000008
【図８】
0005017067.tif 000009
【図９】
0005017067.tif 000010
【図１０】
0005017067.tif 000011
【図１１】
0005017067.tif 000012